(57)【要約】【課題】同一の画素（画素ユニット）を用いて異なる形状の虚像を現出させる虚像現出装飾体、及び虚像現出装飾体の製造方法を提供する。【解決手段】虚像現出装飾体は、画素ユニットが配列されたユニット集合体と、複数の集光素からなり、前記集光素が画素ユニットと関連付けられた位置に配設された集光素集合体と、を備え、集光素集合体は、平面視形状が長円である集光素を含む。また、虚像現出装飾体の製造方法は、画素ユニットが配列されたユニット集合体と、複数の集光素からなり、前記集光素が画素ユニットと関連付けられた位置に配設された集光素集合体と、を備える虚像現出装飾体の製造方法であって、集光素集合体は、平面視形状が長円形状である集光素を含み、画素ユニット及び集光素の両方、又はいずれか一方を、液滴を吐出する液滴吐出装置を用いて形成する。【選択図】図９
2014030903.tif 000002
【特許請求の範囲】
【請求項１】
画素ユニットが配列されたユニット集合体と、
複数の集光素からなり、前記集光素が前記画素ユニットと関連付けられた位置に配設された集光素集合体と、を備え、
前記集光素集合体は、平面視形状が長円である前記集光素を含む、
ことを特徴とする虚像現出装飾体。
【請求項２】
前記長円の長手方向の向きが第１の方向である第１の集光素と、
前記長円の長手方向の向きが前記第１の方向とは異なる第２の方向である第２の集光素と、を含む、
ことを特徴とする、請求項１に記載の虚像現出装飾体。
【請求項３】
平面視形状が第１の長円である第３の集光素と、
平面視形状が前記第１の長円とは異なる第４の集光素と、を含む、
ことを特徴とする、請求項１に記載の虚像現出装飾体。
【請求項４】
前記第１の集光素及び前記第２の集光素を備える第１の集光素集合体を備えることを特徴とする、請求項２に記載の虚像現出装飾体。
【請求項５】
前記第３の集光素及び前記第４の集光素を備える第２の集光素集合体を備えることを特徴とする、請求項３に記載の虚像現出装飾体。
【請求項６】
前記第１の集光素を備える第３の集光素集合体と、
前記第２の集光素を備える第４の集光素集合体と、を備える、
ことを特徴とする、請求項２に記載の虚像現出装飾体。
【請求項７】
前記第３の集光素を備える第５の集光素集合体と、
前記第４の集光素を備える第６の集光素集合体と、を備える、
ことを特徴とする、請求項３に記載の虚像現出装飾体。
【請求項８】
画素ユニットが配列されたユニット集合体と、複数の集光素からなり、前記集光素が前記画素ユニットと関連付けられた位置に配設された集光素集合体と、を備える虚像現出装飾体の製造方法であって、
前記集光素集合体は、平面視形状が長円形状である前記集光素を含み、
前記画素ユニット及び前記集光素の両方、又はいずれか一方を、液滴を吐出する液滴吐出装置を用いて形成することを特徴とする虚像現出装飾体の製造方法。
【発明の詳細な説明】
【技術分野】
【０００１】
本発明は、規則的に配設された画素ユニットと、画素ユニットを覆う位置に規則的に配設された集光素とを備え、画素ユニットが拡大された虚像を現出させる虚像現出装飾体、及び虚像現出装飾体の製造方法に関する。
【背景技術】
【０００２】
従来から、規則的に配設された画素ユニットを備えるユニット集合体と、画素ユニットを覆う位置に規則的に配設されたレンズ状の集光素を備える集光素集合体とを備え、画素ユニットが拡大された虚像を現出させる虚像現出装飾体が知られている。
【０００３】
特許文献１には、格子状に配列されたレンズ状の集光素からなる平凸レンズ状集光層（集光素集合体）と、集光素の格子の枡目の大きさに対して２０〜８０％の大きさに形成された画素（画素ユニット）からなる画像（ユニット集合体）を形成することで、いかなる文字列も虚像として上方又は下方に現出させることができるとする虚像現出装飾体が開示されている。
【先行技術文献】
【特許文献】
【０００４】
【特許文献１】特開２００５−７５９３号公報
【発明の概要】
【発明が解決しようとする課題】
【０００５】
しかしながら、現出させることができる虚像は、画素（画素ユニット）の拡大像であり、形状や色調などは、画素（画素ユニット）によって画一的に定まるものであった。このため、異なる形状の虚像を現出させるためには、現出させる虚像ごとに、専用の画素（画素ユニット）を形成しなければならないという課題があった。
【課題を解決するための手段】
【０００６】
本発明は、上述の課題の少なくとも一部を解決するためになされたものであり、以下の形態または適用例として実現することが可能である。
【０００７】
［適用例１］本適用例にかかる虚像現出装飾体は、画素ユニットが配列されたユニット集合体と、複数の集光素からなり、前記集光素が前記画素ユニットと関連付けられた位置に配設された集光素集合体と、を備え、前記集光素集合体は、平面視形状が長円である前記集光素を含むことを特徴とする。
【０００８】
本適用例にかかる虚像現出装飾体によれば、虚像現出装飾体を構成する集光素集合体は、平面視形状が長円である集光素を含む。虚像現出装飾体は、画素ユニットに対して関係付けられた位置に配設された集光素によって、画素ユニットの拡大虚像を現出させるものである。集光素集合体が備えるそれぞれの集光素は、ユニット集合体を構成する画素ユニットの拡大虚像を現出させる。しかし、虚像の倍率が非常に大きいため、１個の集光素によって視認できるのは、画素ユニットの拡大虚像の一部分である。集光素集合体の全体においては、集光素集合体が備えるそれぞれの集光素が現出させる拡大虚像の一部分が、全体として１個の拡大虚像のように視認される。
平面視形状が長円である集光素は、平面視の方向が異なる断面ごとに、曲面側の曲率半径が異なっており、焦点距離が一律ではない。すなわち、方向によって拡大率が異なっている。平面視形状が長円である集光素による虚像は、例えば、画素ユニットが一方向に引き伸ばされたような形状となる。したがって、当該虚像は、画素ユニットの形状が変形させられた形状となる。集光素の平面視形状が長円であることによって、画素ユニットの形状が変形した形状を有する虚像を現出させることができる。集光素の平面視形状を異ならせることによって、同一の形状を有する画素ユニットを用いて、異なる形状の虚像を現出させることができる。
【０００９】
［適用例２］上記適用例にかかる虚像現出装飾体は、前記長円の長手方向の向きが第１の方向である第１の集光素と、前記長円の長手方向の向きが前記第１の方向とは異なる第２の方向である第２の集光素と、を含むことが好ましい。
【００１０】
この虚像現出装飾体によれば、長円の長手方向の向きが互いに異なる第１の集光素と第２の集光素とを備えている。備える集光素が全て第１の集光素である虚像現出装飾体が現出させる虚像を第１の虚像と表記し、備える集光素が全て第２の集光素である虚像現出装飾体が現出させる虚像を第２の虚像と表記する。
本適用例の虚像現出装飾体においては、第１の集光素を介して視認される部分は、第１の虚像の形状であり、第２の集光素を介して視認される部分は、第２の虚像の形状である。虚像現出装飾体において視認される虚像は、一部分が第１の虚像の形状であり、他の一部分が第２の虚像の形状であるような虚像である。集光素の向きの組合せによって、同一の形状を有する画素ユニットを用いて、異なる形状の虚像が組み合わされた多彩な形状の虚像を現出させることができる。
【００１１】
［適用例３］上記適用例にかかる虚像現出装飾体は、平面視形状が第１の長円である第３の集光素と、平面視形状が前記第１の長円とは異なる第４の集光素と、を含むことが好ましい。
【００１２】
この虚像現出装飾体によれば、形状が互いに異なる第３の集光素と第４の集光素とを備えている。備える集光素が全て第３の集光素である虚像現出装飾体が現出させる虚像を第３の虚像と表記し、備える集光素が全て第４の集光素である虚像現出装飾体が現出させる虚像を第４の虚像と表記する。第３の集光素と第４の集光素とは平面視形状が異なっているため、第３の虚像と第４の虚像とでは形状が異なっている。
本適用例の虚像現出装飾体においては、第３の集光素を介して視認される部分は、第３の虚像の形状であり、第４の集光素を介して視認される部分は、第４の虚像の形状である。虚像現出装飾体において視認される虚像は、一部分が第３の虚像の形状であり、他の一部分が第４の虚像の形状であるような虚像である。集光素の形状の組合せによって、同一の形状を有する画素ユニットを用いて、異なる形状の虚像が組み合わされた多彩な形状の虚像を現出させることができる。
【００１３】
［適用例４］上記適用例にかかる虚像現出装飾体は、前記第１の集光素及び前記第２の集光素を備える第１の集光素集合体を備えることが好ましい。
【００１４】
この虚像現出装飾体によれば、１個の第１の集光素集合体が第１の集光素及び第２の集光素を備えている。第１の集光素集合体において、第１の集光素を介して視認される部分は、第１の虚像の形状であり、第２の集光素を介して視認される部分は、第２の虚像の形状である。第１の集光素集合体を介して視認される虚像は、一部分が第１の虚像の形状であり、他の一部分が第２の虚像の形状であるような虚像である。１個の集光素集合体の範囲において、集光素の向きの組合せによって、同一の形状を有する画素ユニットを用いて、異なる形状の虚像が組み合わされた多彩な形状の虚像を現出させることができる。
【００１５】
［適用例５］上記適用例にかかる虚像現出装飾体は、前記第３の集光素及び前記第４の集光素を備える第２の集光素集合体を備えることが好ましい。
【００１６】
この虚像現出装飾体によれば、１個の第２の集光素集合体が第３の集光素及び第４の集光素を備えている。第２の集光素集合体において、第３の集光素を介して視認される部分は、第３の虚像の形状であり、第４の集光素を介して視認される部分は、第４の虚像の形状である。第２の集光素集合体を介して視認される虚像は、一部分が第３の虚像の形状であり、他の一部分が第４の虚像の形状であるような虚像である。１個の集光素集合体の範囲において、同一の形状を有する画素ユニットを用いて、異なる形状の集光素の組合せによって、異なる形状の虚像が組み合わされた多彩な形状の虚像を現出させることができる。
【００１７】
［適用例６］上記適用例にかかる虚像現出装飾体は、前記第１の集光素を備える第３の集光素集合体と、前記第２の集光素を備える第４の集光素集合体と、を備えることが好ましい。
【００１８】
この虚像現出装飾体によれば、虚像現出装飾体は、第３の集光素集合体及び第４の集光素集合体を備えている。虚像現出装飾体における第３の集光素集合体の部分には、第１の集光素による第１の虚像が現出させられる。虚像現出装飾体における第４の集光素集合体の部分には、第２の集光素による第２の虚像が現出させられる。第３の集光素集合体の部分に現出させられる虚像と、第４の集光素集合体の部分に現出させられる虚像とで、形状が異なっている。すなわち、同じ形状の画素ユニットを用いて、集光素集合体ごとに異なる形状の虚像を現出させることができる。
【００１９】
［適用例７］上記適用例にかかる虚像現出装飾体は、前記第３の集光素を備える第５の集光素集合体と、前記第４の集光素を備える第６の集光素集合体と、を備えることが好ましい。
【００２０】
この虚像現出装飾体によれば、虚像現出装飾体は、第５の集光素集合体及び第６の集光素集合体を備えている。虚像現出装飾体における第５の集光素集合体の部分には、第３の集光素による第３の虚像が現出させられる。虚像現出装飾体における第６の集光素集合体の部分には、第４の集光素による第４の虚像が現出させられる。第５の集光素集合体の部分に現出させられる虚像と、第６の集光素集合体の部分に現出させられる虚像とで、形状が異なっている。すなわち、同じ形状の画素ユニットを用いて、集光素集合体ごとに異なる形状の虚像を現出させることができる。
【００２１】
［適用例８］本適用例にかかる虚像現出装飾体の製造方法は、画素ユニットが配列されたユニット集合体と、複数の集光素からなり、前記集光素が前記画素ユニットと関連付けられた位置に配設された集光素集合体と、を備える虚像現出装飾体の製造方法であって、前記集光素集合体は、平面視形状が長円形状である前記集光素を含み、前記画素ユニット及び前記集光素の両方、又はいずれか一方を、液滴を吐出する液滴吐出装置を用いて形成することを特徴とする。
【００２２】
本適用例にかかる虚像現出装飾体の製造方法によれば、虚像現出装飾体を構成する集光素の平面視形状が長円形である虚像現出装飾体が製造される。虚像現出装飾体は、画素ユニットに対して関係付けられた位置に配設された集光素によって、画素ユニットの拡大虚像を現出させるものである。集光素集合体が備えるそれぞれの集光素は、ユニット集合体を構成する画素ユニットの拡大虚像を現出させる。しかし、虚像の倍率が非常に大きいため、１個の集光素によって視認できるのは、画素ユニットの拡大虚像の一部分である。集光素集合体の全体においては、集光素集合体が備えるそれぞれの集光素が現出させる拡大虚像の一部分が、全体として１個の拡大虚像のように視認される。
平面視形状が長円である集光素は、平面視の方向が異なる断面ごとに、曲面側の曲率半径が異なっており、焦点距離が一律ではない。すなわち、方向によって拡大率が異なっている。平面視形状が長円である集光素による虚像は、例えば、画素ユニットが一方向に引き伸ばされたような形状となる。したがって、当該虚像は、画素ユニットの形状が変形させられた形状となる。集光素の平面視形状を長円形状にすることによって、画素ユニットの形状が変形した形状を有する虚像を現出させる虚像現出装飾体を製造することができる。集光素の平面視形状を異ならせることによって、同一の形状を有する画素ユニットを用いて、異なる形状の虚像を現出させることができる虚像現出装飾体を製造することができる。
【００２３】
また、本適用例にかかる虚像現出装飾体の製造方法によれば、液滴吐出装置を用いて、画素ユニット及び集光素の両方、又はいずれか一方を、形成する。すなわち、液滴吐出装置を用いて、所定の位置関係に配設される位置に画素ユニットを描画する。液滴吐出装置を用いることで、正確な体積の液滴を、正確な位置に配置することができる。これにより、正確な形状を有し正確な位置関係に配設された画素ユニットを形成することができる。また、液滴吐出装置を用いて、所定の位置関係に配設される位置に集光素を描画する。これにより、正確な形状を有し正確な位置関係に配設された集光素を形成することができる。さらに、液滴吐出装置を用いることで、描画する形状を容易に変えることができるため、異なる形状の集光素を備える虚像現出装飾体を容易に形成することができる。
【図面の簡単な説明】
【００２４】
【図１】（ａ）は、液滴吐出装置全体の概略構成を示す外観斜視図。（ｂ）は、液滴吐出装置が備える液滴吐出ヘッドの概略構成を示す外観斜視図。
【図２】（ａ）は、吐出ノズルの配設位置を示す説明図。（ｂ）は、液滴をノズル列の延在方向に直線状に着弾させた状態を示す説明図。（ｃ）は、液滴を吐出走査方向に直線状に着弾させた状態を示す説明図。（ｄ）は、液滴を面状に着弾させた状態を示す説明図。
【図３】（ａ）は、虚像現出装飾体の構成の要部を示す断面図。（ｂ）は、虚像現出装飾体に現出させられる虚像を示す模式平面図。
【図４】（ａ）は、虚像現出装飾体の画素集合体を示す平面図。（ｂ）は、画素集合体の拡大平面図。（ｃ）は、虚像現出装飾体の虚像領域を示す平面図。（ｄ）は、（ｃ）に示した虚像領域のひとつに配設されたレンズアレイの拡大平面図。
【図５】（ｇ）は、虚像現出装飾体の虚像領域を示す平面図。（ｈ）は、（ｇ）に示した虚像領域に配設されたレンズアレイの拡大平面図。（ｉ）は、虚像現出装飾体の虚像領域と画素集合体との構成を示す平面図。（ｊ）は、（ｉ）に示した虚像領域に配設されたレンズアレイと画素集合体との拡大平面図。（ｋ）は、虚像領域に配設されたレンズアレイと画素集合体との拡大平面図。（ｍ）は、虚像領域に配設されたレンズアレイと画素集合体との拡大平面図。
【図６】（ａ）は、レンズアレイにおけるマイクロレンズの配置を示す平面図。（ｂ）は、マイクロレンズの形状を示す平面図。（ｃ）は、（ｂ）に示したマイクロレンズによって現出させられる虚像の形状を示す説明図。（ｄ）は、マイクロレンズの形状を示す平面図。（ｅ）は、（ｄ）に示したマイクロレンズによって現出させられる虚像の形状を示す説明図。
【図７】（ｆ）、（ｇ）、（ｈ）、及び（ｉ）、は、サブレンズアレイによって現出させられる虚像の形状を示す説明図。（ｋ）は、マイクロレンズアレイによって現出させられる虚像の形状を示す説明図。
【図８】（ａ）は、レンズアレイにおけるマイクロレンズの配置を示す平面図。（ｂ）及び（ｃ）は、（ａ）に示したマイクロレンズの一部によって現出させられる虚像の形状を示す説明図。（ｄ）は、（ａ）に示したマイクロレンズアレイによって現出させられる虚像の形状を示す説明図。
【図９】（ａ）は、レンズアレイにおけるマイクロレンズの配置を示す平面図。（ｂ）、（ｃ）及び（ｄ）は、（ａ）に示したマイクロレンズの一部によって現出させられる虚像の形状を示す説明図。（ｅ）は、（ａ）に示したマイクロレンズアレイによって現出させられる虚像の形状を示す説明図。
【図１０】（ａ）は、虚像現出装飾体のレンズアレイの構成を示す説明図。（ｂ）は、現出させられる虚像の形状を示す平面図。
【図１１】（ａ）は、虚像現出装飾体のレンズアレイの構成を示す説明図。（ｂ）は、現出させられる虚像の形状を示す平面図。
【図１２】（ａ）は、虚像現出装飾体のレンズアレイの構成を示す説明図。（ｂ）は、現出させられる虚像の形状を示す平面図。
【発明を実施するための形態】
【００２５】
以下、本発明に係る虚像現出装飾体、及び虚像現出装飾体の製造方法の一実施形態について、図面を参照して説明する。なお、以下の説明において参照する図面では、図示の便宜上、部材又は部分の縦横の縮尺を実際のものとは異なるように表す場合がある。
【００２６】
＜液滴吐出装置＞
最初に、液滴吐出装置１について、図１を参照して説明する。図１は、液滴吐出装置の概略構成を示す外観斜視図である。図１（ａ）は、液滴吐出装置全体の概略構成を示す外観斜視図であり、図１（ｂ）は、液滴吐出装置が備える液滴吐出ヘッドの概略構成を示す外観斜視図である。
【００２７】
図１に示すように、液滴吐出装置１は、ヘッド機構部２と、ワーク機構部３と、機能液供給部４と、メンテナンス装置部５と、吐出装置制御部７と、を備えている。ヘッド機構部２は、機能液を液滴として吐出する液滴吐出ヘッド２０を備えている。ヘッド機構部２は、また、図示省略した紫外線照射部を有している。ワーク機構部３は、液滴吐出ヘッド２０から吐出された液滴の吐出対象（描画対象物）であるワークＷを載置するワーク載置台３３を備えている。機能液供給部４は、液滴吐出ヘッド２０へ機能液を供給する。メンテナンス装置部５は、液滴吐出ヘッド２０の保守を行う。吐出装置制御部７は、これら各機構部などを総括的に制御する。さらに、液滴吐出装置１は、床上に設置された複数の支持脚８と、支持脚８の上側に設置された定盤９とを備えている。
【００２８】
定盤９の上面には、ワーク機構部３が配設されている。ワーク機構部３は、定盤９の長手方向（Ｘ軸方向）に延在している。ワーク機構部３の上方には、定盤９に固定された２本の支持柱で支持されているヘッド機構部２が配設されている。ヘッド機構部２は、ワーク機構部３と略直交する方向（Ｙ軸方向）に延在している。定盤９の傍らには、ヘッド機構部２の液滴吐出ヘッド２０に連通する供給管を有する機能液供給部４の機能液タンクなどが配設されている。ヘッド機構部２の一方の支持柱の近傍には、メンテナンス装置部５がワーク機構部３と並んでＸ軸方向に延在して配設されている。さらに、定盤９の下側に、吐出装置制御部７が収容されている。
【００２９】
ヘッド機構部２は、液滴吐出ヘッド２０を有するヘッドユニット２１と、ヘッドユニット２１を支持するヘッドキャリッジ２２とを備えている。ヘッドキャリッジ２２をＹ軸方向に移動させることで、液滴吐出ヘッド２０をＹ軸方向に自在に移動させる。また、移動した位置に保持する。ワーク機構部３は、ワーク載置台３３をＸ軸方向に移動させることで、ワーク載置台３３に載置されたワークＷをＸ軸方向に自在に移動させる。また、移動した位置に保持する。
【００３０】
液滴吐出ヘッド２０を、Ｙ軸方向の吐出位置まで移動させて停止させ、下方にあるワークＷのＸ軸方向の移動に同調させて、機能液を液滴として吐出させる。液滴吐出ヘッド２０からの機能液の吐出をともなう、液滴吐出ヘッド２０とワークＷとの相対移動方向（走査方向）であるＸ軸方向を、吐出走査方向と表記する。
Ｘ軸方向に移動させるワークＷと、Ｙ軸方向に移動させる液滴吐出ヘッド２０とを相対的に制御することにより、ワークＷ上の任意の位置に液滴を着弾させることで、所望する描画などを行うことが可能である。
【００３１】
図１（ｂ）に示すように、液滴吐出ヘッド２０は、ノズル基板２５を備えている。ノズル基板２５には、多数の吐出ノズル２４が略一直線状に並んだノズル列２４Ａが２列形成されている。吐出ノズル２４から機能液を液滴として吐出し、対向する位置にあるワークＷなどに着弾させることで、当該位置に機能液を配置する。ノズル列２４Ａは、液滴吐出ヘッド２０が液滴吐出装置１に装着された状態で、図１（ａ）に示したＹ軸方向に延在している。ノズル列２４Ａにおいて吐出ノズル２４は等間隔のノズルピッチで並んでおり、２列のノズル列２４Ａ間で、吐出ノズル２４の位置がＹ軸方向に半ノズルピッチずれている。したがって、液滴吐出ヘッド２０としては、Ｙ軸方向に半ノズルピッチ間隔で機能液の液滴を配置することができる。
【００３２】
Ｙ軸方向の描画範囲を広げるためには、液滴吐出ヘッド２０をＹ軸方向に連ねてもよいし、液滴吐出ヘッド２０をＹ軸方向に移動させて、液滴吐出ヘッド２０のＹ軸方向における位置ごとに、ワークＷのＸ軸方向の移動と液滴吐出ヘッド２０からの吐出を実施してもよい。
Ｙ軸方向の液滴の配置ピッチを小さくするためには、複数の液滴吐出ヘッド２０を、Ｙ軸方向における吐出ノズル２４の位置を互いにずらしてＸ軸方向に並べてもよいし、３列以上のノズル列を備える液滴吐出ヘッドを用いてもよい。もちろん、製造可能な範囲であれば、ノズルピッチが小さい液滴吐出ヘッドを用いることもできる。
【００３３】
＜着弾位置＞
次に、液滴吐出ヘッド２０の吐出ノズル２４と、それぞれの吐出ノズル２４から吐出された液滴の着弾位置と、の関係について、図２を参照して説明する。図２は、吐出ノズルと、それぞれの吐出ノズルから吐出された液滴の着弾位置と、の関係を示す説明図である。図２（ａ）は、吐出ノズルの配設位置を示す説明図であり、図２（ｂ）は、液滴をノズル列の延在方向に直線状に着弾させた状態を示す説明図であり、図２（ｃ）は、液滴を吐出走査方向に直線状に着弾させた状態を示す説明図であり、図２（ｄ）は、液滴を面状に着弾させた状態を示す説明図である。図２に示したＸ軸方向及びＹ軸方向は、ヘッドユニット２１が液滴吐出装置１に取り付けられた状態において、図１に示したＸ軸方向又はＹ軸方向と一致している。Ｘ軸方向が吐出走査方向であって、図２に示した矢印ａの方向に吐出ノズル２４（液滴吐出ヘッド２０）を相対移動させながら、任意の位置において機能液の液滴を吐出することによって、Ｘ軸方向の任意の位置に液滴を着弾させることができる。
【００３４】
図２（ａ）に示すように、ノズル列２４Ａを構成する吐出ノズル２４は、Ｙ軸方向にノズルピッチＰの中心間距離で配列されている。上述したように、２列のノズル列２４Ａをそれぞれ構成する吐出ノズル２４同士は、Ｙ軸方向において、相互に、ノズルピッチＰの１／２ずつ位置がずれている。
【００３５】
図２（ｂ）に示すように、着弾位置を示す着弾点９１と、着弾した液滴の濡れ広がり状態を示す着弾円９１Ａとで、着弾した１滴の液滴の状態を示している。２列のノズル列２４Ａの全部の吐出ノズル２４から、図２（ｂ）に二点鎖線で示した仮想線Ｌ上に着弾させるタイミングで、それぞれ液滴を吐出させることによって、ノズルピッチＰの１／２の中心間間隔で着弾円９１Ａが直線状に連なるパターンが形成される。
【００３６】
図２（ｃ）に示すように、一つの吐出ノズル２４から連続して液滴を吐出させることによって、Ｘ軸方向に着弾円９１Ａが直線状に連なるパターンが形成される。Ｘ軸方向における着弾点９１間の中心間距離の最小値を、最小着弾距離ｄと表記する。最小着弾距離ｄは、Ｘ軸方向における相対移動速度と、吐出ノズル２４の最小吐出間隔（時間）との積である。
【００３７】
図２（ｄ）に示すように、二点鎖線で示した仮想線Ｌ１，Ｌ２，Ｌ３上に着弾させるタイミングで、それぞれ液滴を吐出させることによって、ノズルピッチＰの１／２の中心間間隔で着弾円９１Ａが連なる直線が、Ｘ軸方向に並列した着弾面が形成される。図２（ｄ）に示した仮想線Ｌ１，Ｌ２，Ｌ３間の距離が最小着弾距離ｄの場合のそれぞれの着弾点９１が、液滴吐出装置１によって機能液の液滴を配置可能な位置である。
【００３８】
画像の描画に際しては、画像の情報に従って、図２（ｄ）に示したそれぞれの着弾点９１の位置について、液滴を配置する位置を定める。例えば、当該配置位置、及び配置位置に液滴を吐出する吐出ノズル２４を指定した画素配置図を形成し、当該画素配置図に従って機能液を着弾させることによって、画像の情報によって規定される画像を描画する。なお、図２（ｄ）に示した例では、着弾円９１Ａの間に隙間が存在するが、ノズルピッチＰや最小着弾距離ｄに対して、吐出する液滴の１滴あたりの吐出重量を適切に定めることによって、隙間なく機能液を配置することが可能である。所定の領域に液滴を配置して、当該領域に機能液を盛り上げた塊を形成することも可能であり、機能液を硬化させて盛上った塊を形成することも可能である。もちろん、他の液滴と重ねることなく、１滴の液滴を独立させて配置することも可能である。
【００３９】
＜虚像現出装飾体＞
次に、画素ユニットを有する画素集合体、及びマイクロレンズのレンズアレイを備える虚像現出装飾体の構成について、図３、図４、及び図５を参照して説明する。図３は、虚像現出装飾体の構成を示す模式図である。図３（ａ）は、虚像現出装飾体の構成の要部を示す断面図であり、図３（ｂ）は、虚像現出装飾体に現出させられる虚像を示す模式平面図である。
図４及び図５は、虚像現出装飾体を構成する要素の構成を示す模式図である。図４（ａ）は、虚像現出装飾体の画素集合体を示す平面図であり、図４（ｂ）は、画素集合体の拡大平面図であり、図４（ｃ）は、虚像現出装飾体の虚像領域を示す平面図であり、図４（ｄ）は、図４（ｃ）に示した虚像領域のひとつに配設されたレンズアレイの拡大平面図である。図４（ｅ）は、虚像現出装飾体の虚像領域と画素集合体との構成を示す平面図であり、図４（ｆ）は、図４（ｅ）に示した虚像領域のひとつに配設されたレンズアレイと画素集合体との拡大平面図である。図５（ｇ）は、虚像現出装飾体の虚像領域を示す平面図であり、図５（ｈ）は、図５（ｇ）に示した虚像領域に配設されたレンズアレイの拡大平面図であり、図５（ｉ）は、虚像現出装飾体の虚像領域と画素集合体との構成を示す平面図であり、図５（ｊ）は、図５（ｉ）に示した虚像領域に配設されたレンズアレイと画素集合体との拡大平面図である。図５（ｋ）及び図５（ｍ）は、虚像領域に配設されたレンズアレイと画素集合体との拡大平面図である。
【００４０】
図３（ａ）に示すように、虚像現出装飾体５１は、基材５３と、レンズアレイ６１と、画素集合体７１とを備えている。基材５３は、透明な素材で形成されたフィルム状の部材である。基材５３の素材としては、ポリエチレン（ＰＥ）、ポリプロピレン（ＰＰ）、ポリエチレンテレフタレート（ＰＥＴ）、ポリカーボネート（ＰＣ）、ポリ塩化ビニル（ＰＶＣ）、ポリビニルアルコール（ＰＶＡ）などが挙げられる。基材５３の一面には、撥液層５５が形成されている。撥液層５５の上には、レンズアレイ６１を構成するマイクロレンズ６２が形成されている。撥液層５５は、マイクロレンズ６２を形成するための機能液に対して撥液性を有する層である。マイクロレンズ６２は、上述した液滴吐出装置１を用いて、マイクロレンズ６２の材料を含む機能液を、所定の平面視形状を形成し、所定の量が配置されるように、所定の位置に配置することによって形成することができる。
基材５３の撥液層５５が形成されている面の反対側の面には、画素集合体７１を構成する画素ユニット７２が形成されている。画素ユニット７２は、上述した液滴吐出装置１を用いて機能液の液滴を所定の位置に配置し、所定の形状を描画することによって形成することができる。
【００４１】
図３（ａ）に示した矢印ｓの方向から見ると、図３（ｂ）に示すように、画素虚像７３を視認することができる。図３（ｂ）には、画素虚像７３として、形状Ａ、形状Ｂ、形状Ｃ、及び形状Ｄが例示してある。形状Ａ、形状Ｂ、形状Ｃ、又は形状Ｄの形状を有する画素虚像７３を、画素虚像７３Ａ、画素虚像７３Ｂ、画素虚像７３Ｃ、又は画素虚像７３Ｄと表記する。１個の画素虚像７３が現出させられる領域を虚像領域７３０と表記する。画素虚像７３Ａ、画素虚像７３Ｂ、画素虚像７３Ｃ、又は画素虚像７３Ｄが現出させられる虚像領域７３０を、虚像領域７３０ａ、虚像領域７３０ｂ、虚像領域７３０ｃ、又は虚像領域７３０ｄと表記する。
基材５３の面に略平行であって、虚像領域７３０の並び方向と略平行な方向をＸ軸方向と表記し、基材５３の面に略平行であって、Ｘ軸方向と直交する方向をＹ軸方向と表記する。Ｘ軸方向及びＹ軸方向と直交する方向をＺ軸方向と表記する。
【００４２】
画素集合体７１は、画素ユニット７２が格子状に等ピッチ間隔で並べられて形成されている。図４（ｂ）に示した画素ユニット７２の形状は、略円形である。画素ユニット７２の並び方向は、Ｘ軸方向及びＹ軸方向である。１個の虚像領域７３０に形成されている画素ユニット７２の集合を画素集合体７１と表記し、虚像現出装飾体５１全体に形成されている画素ユニット７２の集合を画素集合体７２０と表記する。図４（ａ）に二点鎖線で示した領域に、画素集合体７２０が形成されている。図４（ｂ）に示すように、画素集合体７２０（画素集合体７１）には、画素ユニット７２がピッチＰ１で、縦横に配列されている。画素集合体７１には、例えば、４５行×４５列で、２０２５個の画素ユニット７２が形成されている。ピッチＰ１は、例えば１７６μｍである。
【００４３】
図４（ｃ）に示した二点鎖線で囲まれた領域が、１個所の虚像領域７３０を示している。１個所の虚像領域７３０には、１個のレンズアレイ６１が形成されている。虚像領域７３０ａ、虚像領域７３０ｂ、虚像領域７３０ｃ、又は虚像領域７３０ｄに形成されているレンズアレイ６１を、レンズアレイ６１ａ、レンズアレイ６１ｂ、レンズアレイ６１ｃ、又はレンズアレイ６１ｄと表記する。
【００４４】
図４（ｄ）に示したレンズアレイ６１は、レンズアレイ６１ａであり、マイクロレンズ６２ａがピッチＰ２で配列されている。マイクロレンズ６２の並び方向は、Ｘ軸方向及びＹ軸方向である。マイクロレンズ６２ａは、平面視で長円形状を有している。マイクロレンズ６２ａは、長円の長手方向が、Ｙ軸方向に対して時計回りに約４５度傾いている。
マイクロレンズ６２ａは長円形状を有するため、平面視の方向によって像の拡大率が異なっている。長円形状の長手方向は、レンズ面の曲率半径が大きいため焦点距離が長く、現出させられる虚像の倍率が小さい。マイクロレンズ６２ａによって現出させられる画素ユニット７２の虚像は、図３（ｂ）に示した画素虚像７３Ａのように、円形形状がマイクロレンズ６２ａの長手方向と略直交する方向に伸ばされた形状となる。マイクロレンズ６２ａの倍率は数十倍であるため、１個のマイクロレンズ６２ａを介して視認できる虚像は、画素ユニット７２の虚像の一部分である。
【００４５】
図４（ｄ）に示すように、レンズアレイ６１は、マイクロレンズ６２がピッチＰ２で、縦横に配列されている。ピッチＰ２と、ピッチＰ１とは、ピッチＰ２×（レンズアレイ６１におけるマイクロレンズ６２の行数又は列数−１）＝ピッチＰ１×（画素集合体７１における画素ユニット７２の行数又は列数）の関係を満たす値に設定されている。画素集合体７１には、例えば、４５行×４５列で、２０２５個の画素ユニット７２が形成されている。ピッチＰ２は、例えば１８０μｍである。
【００４６】
図４（ｅ）に示すように、虚像現出装飾体５１では、レンズアレイ６１と画素集合体７２０の画素集合体７１とが、基材５３の面に平行な方向において重なる状態で形成されている。画素虚像７３を現出させるレンズアレイ６１と画素集合体７１との組を、虚像ユニット７６と表記する。画素虚像７３Ａ、画素虚像７３Ｂ、画素虚像７３Ｃ、又は画素虚像７３Ｄを現出させる虚像ユニット７６を、虚像ユニット７６ａ、虚像ユニット７６ｂ、虚像ユニット７６ｃ、又は虚像ユニット７６ｄと表記する。
【００４７】
図４（ｆ）に示すように、虚像ユニット７６（虚像ユニット７６ａ）において、レンズアレイ６１ａのマイクロレンズ１６２ａと、画素集合体７１の画素ユニット１７２とは、中心が合致している。マイクロレンズ１６２ａは、レンズアレイ６１ａの中央のマイクロレンズ６２ａであり、画素ユニット１７２は、画素集合体７１の中央の画素ユニット７２である。マイクロレンズ１６２ａの隣のマイクロレンズ６２ａと、画素ユニット１７２の隣の画素ユニット７２とは、中心位置が、ピッチＰ１とピッチＰ２との差に相当する量だけずれている。Ｐ２が１８０μｍであり、ピッチＰ１が１７６μｍである場合、４μｍずれている。
虚像ユニット７６の端においては、画素集合体７１が有する画素ユニット７２の行又は列における端の行又は列を構成する画素ユニット７２の中心位置は、レンズアレイ６１が有するマイクロレンズ６２の行又は列における端の行又は列を構成するマイクロレンズ６２の中心位置と端から２番目の行又は列を構成するマイクロレンズ６２の中心位置との中点に位置する。
【００４８】
このように、レンズアレイ６１ａのマイクロレンズ６２ａと、画素集合体７１の画素ユニット７２とは、相対位置が少しずつずれている。上述したように、１個のマイクロレンズ６２ａを介して視認できる虚像は、画素ユニット７２の虚像の一部分である。画素ユニット７２と対応するマイクロレンズ６２ａとによって、画素ユニット７２の一部分の虚像が現出させられる。虚像ユニット７６ａにおいて、マイクロレンズ６２ａと画素ユニット７２とは、相対位置が少しずつずれているため、虚像ユニット７６ａにおいて、画素ユニット７２と対応するマイクロレンズ６２ごとに、虚像として現出させられる画素ユニット７２の部分が異なっている。レンズアレイ６１ａを介して視認できる虚像は、レンズアレイ６１ａが備えるマイクロレンズ６２ａを介して視認できる虚像の集合体であり、画素虚像７３Ａのような形状として視認される。このように、虚像領域７３０ａに配設された虚像ユニット７６ａにおいて、マイクロレンズ６２ａによって画素ユニット７２が拡大された画素虚像７３Ａが、視認可能に現出させられる。
画素集合体７１が、ユニット集合体に相当する。マイクロレンズ６２が、集光素に相当する。レンズアレイ６１が、集光素集合体に相当する。
【００４９】
図５（ｇ）に示した二点鎖線で囲まれた領域は、虚像領域７３０ｂを示している。虚像領域７３０ｂには、レンズアレイ６１ｂが形成されている。
図５（ｈ）に示したレンズアレイ６１ｂは、マイクロレンズ６２ｂがピッチＰ２で配列されている。マイクロレンズ６２ｂの並び方向は、Ｘ軸方向及びＹ軸方向である。マイクロレンズ６２ｂは、マイクロレンズ６２ａと同じ形状であって、平面視で長円形状を有している。マイクロレンズ６２ｂは、長円の長手方向が、Ｙ軸方向に対して反時計回りに約４５度傾いている。
マイクロレンズ６２ａとマイクロレンズ６２ｂのいずれか一方が、第１の集光素に相当し、もう一方が、第２の集光素に相当する。マイクロレンズ６２ａとマイクロレンズ６２ｂのいずれか一方の長手方向の向きが、第１の方向に相当し、もう一方の長手方向の向きが、第２の方向に相当する。
【００５０】
上述したように、マイクロレンズ６２ａによって現出させられる画素ユニット７２の虚像は、図３（ｂ）に示した画素虚像７３Ａのように、円形形状がマイクロレンズ６２ａの長手方向と略直交する方向に伸ばされた形状となる。マイクロレンズ６２ｂはマイクロレンズ６２ａと同じ形状であるため、マイクロレンズ６２ｂによって現出させられる画素ユニット７２の虚像の形状は、画素虚像７３Ａと同様の形状となる。しかし、マイクロレンズ６２ｂは長円形状の長手方向の向きがマイクロレンズ６２ａとは異なるため、マイクロレンズ６２ｂによって現出させられる画素ユニット７２の虚像は、画素虚像７３Ａとは長手方向の方向が異なる画素虚像７３Ｂのような形状となる。マイクロレンズ６２ａと同様に、マイクロレンズ６２ｂの倍率は数十倍であるため、１個のマイクロレンズ６２ｂを介して視認できる虚像は、画素ユニット７２の虚像の一部分である。
【００５１】
図５（ｈ）に示すように、レンズアレイ６１ｂは、マイクロレンズ６２ｂがピッチＰ２で、縦横に配列されている。ピッチＰ２と、ピッチＰ１とは、ピッチＰ２×（レンズアレイ６１におけるマイクロレンズ６２の行数又は列数−１）＝ピッチＰ１×（画素集合体７１における画素ユニット７２の行数又は列数）の関係を満たす値に設定されている。画素集合体７１には、例えば、４５行×４５列で、２０２５個の画素ユニット７２が形成されている。ピッチＰ２は、例えば１８０μｍである。
【００５２】
図５（ｉ）に示すように、レンズアレイ６１ｂと画素集合体７２０の画素集合体７１とが、基材５３の面に平行な方向において重なって、虚像ユニット７６ｂが形成されている。
図５（ｊ）に示すように、虚像ユニット７６ｂにおいて、レンズアレイ６１ｂのマイクロレンズ６２ｂは、画素集合体７１の画素ユニット７２に対して、虚像ユニット７６ａにおけるレンズアレイ６１ａのマイクロレンズ６２ａと同様に配設されている。
虚像ユニット７６ａと同様に、虚像ユニット７６ｂにおいて、レンズアレイ６１ｂを介して視認できる虚像は、レンズアレイ６１ｂが備えるマイクロレンズ６２ｂを介して視認できる虚像の集合体である。虚像領域７３０ｂに配設された虚像ユニット７６ｂにおいて、マイクロレンズ６２ｂによって画素ユニット７２が拡大された画素虚像７３Ｂが、視認可能に現出させられる。
【００５３】
図５（ｋ）は、虚像領域７３０ｃに配設された虚像ユニット７６ｃを構成するレンズアレイ６１ｃと画素集合体７１との拡大平面図である。
図５（ｋ）に示したレンズアレイ６１ｃは、マイクロレンズ６２ｃがピッチＰ２で配列されている。マイクロレンズ６２ｃの並び方向は、Ｘ軸方向及びＹ軸方向である。マイクロレンズ６２ｃは、平面視でほぼ円形を有している。
マイクロレンズ６２ａ及びマイクロレンズ６２ｂのいずれか一方が、第３の集光素に相当し、マイクロレンズ６２ｃが、第４の集光素に相当する。マイクロレンズ６２ａ及びマイクロレンズ６２ｂいずれか一方の平面視形状が、第１の長円に相当する。
【００５４】
平面視でほぼ円形形状を有するマイクロレンズ６２ｃによって現出させられる画素ユニット７２の虚像は、図３（ｂ）に示した画素虚像７３Ｃのように、略円形形状となる。マイクロレンズ６２ａなどと同様に、マイクロレンズ６２ｃの倍率は数十倍であるため、１個のマイクロレンズ６２ｃを介して視認できる虚像は、画素ユニット７２の虚像の一部分である。
【００５５】
レンズアレイ６１ｃにおけるマイクロレンズ６２ｃの配列は、レンズアレイ６１ｂにおけるマイクロレンズ６２ｂの配列と同様である。虚像ユニット７６ｃにおける画素ユニット７２とマイクロレンズ６２ｃとの相対位置も、虚像ユニット７６ａにおける画素ユニット７２とマイクロレンズ６２ａとの相対位置や、虚像ユニット７６ｂにおける画素ユニット７２とマイクロレンズ６２ｂとの相対位置と同様である。
虚像ユニット７６ａなどと同様に、虚像ユニット７６ｃにおいて、レンズアレイ６１ｃを介して視認できる虚像は、レンズアレイ６１ｃが備えるマイクロレンズ６２ｃを介して視認できる虚像の集合体である。虚像領域７３０ｃに配設された虚像ユニット７６ｃにおいて、マイクロレンズ６２ｃによって画素ユニット７２が拡大された画素虚像７３Ｃが、視認可能に現出させられる。
【００５６】
図５（ｍ）は、虚像領域７３０ｄに配設された虚像ユニット７６ｄを構成するレンズアレイ６１ｄと画素集合体７１との拡大平面図である。
図５（ｍ）に示したように、レンズアレイ６１ｄは、マイクロレンズ６２ａとマイクロレンズ６２ｂとを備えている。レンズアレイ６１ｄにおいて、図５（ｍ）における上側半分にはマイクロレンズ６２ｂが配設されており、図５（ｍ）における下側半分にはマイクロレンズ６２ａが配設されている。レンズアレイ６１ｄが、第１の集光素集合体に相当する。
【００５７】
レンズアレイ６１ｄにおけるマイクロレンズ６２ａ及びマイクロレンズ６２ｂの配列は、レンズアレイ６１ａにおけるマイクロレンズ６２ａの配列、又はレンズアレイ６１ｂにおけるマイクロレンズ６２ｂの配列と同様である。
レンズアレイ６１ｄにおけるマイクロレンズ６２ａ及びマイクロレンズ６２ｂによって現出させられる虚像は、レンズアレイ６１ａにおけるマイクロレンズ６２ａによって現出させられる虚像、又はレンズアレイ６１ｂにおけるマイクロレンズ６２ｂによって現出させられる虚像と同様である。
虚像ユニット７６ｄにおいて、レンズアレイ６１ｄを介して視認できる虚像は、マイクロレンズ６２ｂが配設された側が画素虚像７３Ａの半分であり、マイクロレンズ６２ａが配設された側が画素虚像７３Ｂの半分である虚像である。虚像領域７３０ｄに配設された虚像ユニット７６ｄにおいて、レンズアレイ６１ｄを介して、画素虚像７３Ｄが、視認可能に現出させられる。
【００５８】
＜レンズアレイの他の構成例１＞
次に、上述したレンズアレイ６１ａなどとは、備えているマイクロレンズ６２の構成が異なるレンズアレイ６１ｅ、及びレンズアレイ６１ｅによって現出させられる画素虚像７３Ｇについて、図６及び図７を参照して説明する。図６は、レンズアレイの構成を示す説明図である。図７は、現出させられる虚像の形状を示す説明図である。図６（ａ）は、レンズアレイにおけるマイクロレンズの配置を示す平面図であり、図６（ｂ）は、マイクロレンズの形状を示す平面図であり、図６（ｃ）は、図６（ｂ）に示したマイクロレンズによって現出させられる虚像の形状を示す説明図である。図６（ｄ）は、マイクロレンズの形状を示す平面図であり、図６（ｅ）は、図６（ｄ）に示したマイクロレンズによって現出させられる虚像の形状を示す説明図である。図７（ｆ）、図７（ｇ）、図７（ｈ）、及び図７（ｉ）、は、サブレンズアレイによって現出させられる虚像の形状を示す説明図であり、図７（ｋ）は、図６（ａ）に示したマイクロレンズアレイによって現出させられる虚像の形状を示す説明図である。
【００５９】
図６（ａ）に示すように、レンズアレイ６１ｅは、マイクロレンズ６２ｅとマイクロレンズ６２ｆとを備えている。レンズアレイ６１ｅを図６（ａ）に示したように４分割し、図６（ａ）において左上の部分をサブレンズアレイ６１１、右上の部分をサブレンズアレイ６１２、左下の部分をサブレンズアレイ６２１、右下の部分をサブレンズアレイ６２２と表記する。サブレンズアレイ６１１、及びサブレンズアレイ６２２には、マイクロレンズ６２ｅが配設されている。マイクロレンズ６２ｅを備えるサブレンズアレイ６１１及びサブレンズアレイ６２２を、サブレンズアレイ６１１ｅ、又はサブレンズアレイ６２２ｅと表記する。サブレンズアレイ６１２、及びサブレンズアレイ６２１には、マイクロレンズ６２ｆが配設されている。マイクロレンズ６２ｆを備えるサブレンズアレイ６１２及びサブレンズアレイ６２１を、サブレンズアレイ６１２ｆ、又はサブレンズアレイ６２１ｆと表記する。
マイクロレンズ６２ｅとマイクロレンズ６２ｆのいずれか一方が、第１の集光素に相当し、もう一方が、第２の集光素に相当する。マイクロレンズ６２ｅとマイクロレンズ６２ｆのいずれか一方の長手方向の向きが、第１の方向に相当し、もう一方の長手方向の向きが、第２の方向に相当する。レンズアレイ６１ｅが、第１の集光素集合体に相当する。
【００６０】
図６（ｂ）に示すように、マイクロレンズ６２ｅは、平面視形状が、２個の半円と２個の半円の端と端とを結ぶ直線とで構成されたいわゆるトラック形状である。マイクロレンズ６２ｅは、トラック形状の長手方向が、Ｙ軸方向に対して時計回りに約４５度傾いている。
マイクロレンズ６２ｅはトラック形状を有するため、平面視の方向によって像の拡大率が異なっている。トラック形状の長手方向は、レンズ面の曲率半径が大きいため焦点距離が長く、現出させられる虚像の倍率が小さい。マイクロレンズ６２ｅからなるレンズアレイ６１によって現出させられる画素集合体７１の虚像は、例えば、図６（ｃ）に示した画素虚像７３Ｅのような形状になる。画素虚像７３Ｅは、円形形状がマイクロレンズ６２ｅの長手方向と略直交する方向に伸ばされた形状である。
【００６１】
図６（ｄ）に示すように、マイクロレンズ６２ｆは、平面視形状が、マイクロレンズ６２ｅと同じトラック形状である。マイクロレンズ６２ｆは、トラック形状の長手方向が、Ｙ軸方向に対して反時計回りに約４５度傾いている。
マイクロレンズ６２ｅの場合と同様に、マイクロレンズ６２ｆからなるレンズアレイ６１によって現出させられる画素集合体７１の虚像は、例えば、図６（ｅ）に示した画素虚像７３Ｆのような形状になる。画素虚像７３Ｆは、円形形状がマイクロレンズ６２ｆの長手方向と略直交する方向に伸ばされた形状である。
【００６２】
サブレンズアレイ６１１によって現出させられる画素集合体７１の虚像は、図７（ｆ）に示すように、画素虚像７３Ｅにおけるサブレンズアレイ６１１に重なる部分に相当する画素虚像７３１Ｅのような形状になる。
サブレンズアレイ６１２によって現出させられる画素集合体７１の虚像は、図７（ｇ）に示すように、画素虚像７３Ｆにおけるサブレンズアレイ６１２に重なる部分に相当する画素虚像７３１Ｆのような形状になる。
サブレンズアレイ６２１によって現出させられる画素集合体７１の虚像は、図７（ｈ）に示すように、画素虚像７３Ｆにおけるサブレンズアレイ６２１に重なる部分に相当する画素虚像７３２Ｆのような形状になる。
サブレンズアレイ６２２によって現出させられる画素集合体７１の虚像は、図７（ｉ）に示すように、画素虚像７３Ｅにおけるサブレンズアレイ６２２に重なる部分に相当する画素虚像７３１Ｅのような形状になる。
レンズアレイ６１ｅによって現出させられる画素集合体７１の虚像は、画素虚像７３１Ｅと画素虚像７３１Ｆと画素虚像７３２Ｆと画素虚像７３２Ｅとを含んでいる。レンズアレイ６１ｅによって画素集合体７１の虚像を現出させることによって、図７（ｊ）に示した画素虚像７３Ｇのような虚像が視認可能に現出させられる。
【００６３】
＜レンズアレイの他の構成例２＞
次に、上述したレンズアレイ６１ａなどとは、備えているマイクロレンズ６２の構成が異なるレンズアレイ６１ｆ、及びレンズアレイ６１ｆによって現出させられる画素虚像７３Ｋについて、図８を参照して説明する。図８は、レンズアレイの構成及び現出させられる画素虚像を示す説明図である。図８（ａ）は、レンズアレイにおけるマイクロレンズの配置を示す平面図であり、図８（ｂ）及び（ｃ）は、図８（ａ）に示したマイクロレンズの一部によって現出させられる虚像の形状を示す説明図であり、図８（ｄ）は、図８（ａ）に示したマイクロレンズアレイによって現出させられる虚像の形状を示す説明図である。
【００６４】
図８（ａ）に示すように、レンズアレイ６１ｆは、マイクロレンズ６２ｅ及びマイクロレンズ６２ｆを備えている。マイクロレンズ６２ｅ及びマイクロレンズ６２ｆは、上述したレンズアレイ６１ｅが備えていたマイクロレンズ６２ｅ及びマイクロレンズ６２ｆである。レンズアレイ６１ｆは、マイクロレンズ６２ｅをＸ軸方向に並べたレンズ行６３０ｅと、マイクロレンズ６２ｆをＸ軸方向に並べたレンズ行６３０ｆとを備えている。レンズアレイ６１ｆでは、２行のレンズ行６３０ｅと２行のレンズ行６３０ｆとが、Ｙ軸方向において交互に並べられている。
マイクロレンズ６２ｅとマイクロレンズ６２ｆのいずれか一方が、第１の集光素に相当し、もう一方が、第２の集光素に相当する。マイクロレンズ６２ｅとマイクロレンズ６２ｆのいずれか一方の長手方向の向きが、第１の方向に相当し、もう一方の長手方向の向きが、第２の方向に相当する。レンズアレイ６１ｆが、第１の集光素集合体に相当する。
レンズ行６３０ｅ及びレンズ行６３０ｆは、例えば４５個のマイクロレンズ６２ｅ又はマイクロレンズ６２ｆで構成されている。レンズアレイ６１ｆは、レンズ行６３０ｅとレンズ行６３０ｆとを、例えば、あわせて４５行備えている。
【００６５】
レンズアレイ６１ｆが備えるマイクロレンズ６２ｅによって現出させられる画素集合体７１の虚像は、図８（ｂ）に示した画素虚像７３Ｈのような形状になる。上述したように、マイクロレンズ６２ｅからなるレンズアレイ６１によって現出させられる画素集合体７１の虚像は、例えば、図６（ｃ）に示した画素虚像７３Ｅのような形状になる。
１個のマイクロレンズ６２によって現出させられる画素ユニット７２の虚像をレンズ虚像と表記する。レンズアレイ６１ｆが備えるマイクロレンズ６２ｅの数は、マイクロレンズ６２ｅからなるレンズアレイ６１が備えるマイクロレンズ６２ｅの数の概ね半分である。したがって、画素虚像７３Ｈは、画素虚像７３Ｅにくらべて概ね半分の数のレンズ虚像で構成されており、画素虚像７３Ｈは、例えば階調が、画素虚像７３Ｅとは異なっているように視認される。
【００６６】
レンズアレイ６１ｆが備えるマイクロレンズ６２ｆによって現出させられる画素集合体７１の虚像は、図８（ｃ）に示した画素虚像７３Ｊのような形状になる。上述したように、マイクロレンズ６２ｆからなるレンズアレイ６１によって現出させられる画素集合体７１の虚像は、例えば、図６（ｅ）に示した画素虚像７３Ｆのような形状になる。
上述した画素虚像７３Ｅと同様に、画素虚像７３Ｊは、例えば階調が、画素虚像７３Ｆとは異なっているように視認される。
【００６７】
レンズアレイ６１ｆによって現出させられる画素集合体７１の虚像は、画素虚像７３Ｈと画素虚像７３Ｊとを含んでいる。図８（ｄ）に示した画素虚像７３Ｋは、画素虚像７３Ｈと画素虚像７３Ｊとを含む形状を有している。レンズアレイ６１ｆによって画素集合体７１の虚像を現出させることによって、画素虚像７３Ｋのような虚像が視認可能に現出させられる。
【００６８】
＜レンズアレイの他の構成例３＞
次に、上述したレンズアレイ６１ａなどとは、備えているマイクロレンズ６２の構成が異なるレンズアレイ６１ｇ、及びレンズアレイ６１ｇによって現出させられる画素虚像７３Ｐについて、図９を参照して説明する。図９は、レンズアレイの構成及び現出させられる画素虚像を示す説明図である。図９（ａ）は、レンズアレイにおけるマイクロレンズの配置を示す平面図であり、図８（ｂ）、（ｃ）及び（ｄ）は、図９（ａ）に示したマイクロレンズの一部によって現出させられる虚像の形状を示す説明図であり、図８（ｅ）は、図９（ａ）に示したマイクロレンズアレイによって現出させられる虚像の形状を示す説明図である。
【００６９】
図９（ａ）に示すように、レンズアレイ６１ｇは、マイクロレンズ６２ｃ、マイクロレンズ６２ｅ、及びマイクロレンズ６２ｆを備えている。マイクロレンズ６２ｃは、上述したレンズアレイ６１ｃが備えていたマイクロレンズ６２ｃである。マイクロレンズ６２ｅ及びマイクロレンズ６２ｆは、上述したレンズアレイ６１ｅが備えていたマイクロレンズ６２ｅ及びマイクロレンズ６２ｆである。
マイクロレンズ６２ｅ及びマイクロレンズ６２ｆと、マイクロレンズ６２ｃとのいずれか一方が、第３の集光素に相当し、もう一方が、第４の集光素に相当する。マイクロレンズ６２ｅ及びマイクロレンズ６２ｆと、マイクロレンズ６２ｃとのいずれか一方の平面視形状が、第１の長円に相当する。レンズアレイ６１ｇが、第２の集光素集合体に相当する。
【００７０】
４個のマイクロレンズ６２の塊をレンズ塊６４０と表記する。レンズアレイ６１ｇは、４個のマイクロレンズ６２ｃで構成されたレンズ塊６４０ｃと、４個のマイクロレンズ６２ｅで構成されたレンズ塊６４０ｅと、４個のマイクロレンズ６２ｆで構成されたレンズ塊６４０ｆとを備えている。レンズアレイ６１ｇにおいて、レンズ塊６４０ｃとレンズ塊６４０ｅとは、Ｘ軸方向及びＹ軸方向において、交互に配設されている。レンズ塊６４０ｃとレンズ塊６４０ｆとも、Ｘ軸方向及びＹ軸方向において、交互に配設されている。レンズ塊６４０ｅ及びレンズ塊６４０ｆは、Ｘ軸方向及びＹ軸方向にける両側に、レンズ塊６４０ｃが配設されている。レンズ塊６４０ｃのＸ軸方向における両隣にレンズ塊６４０ｅが配設されている場合、当該レンズ塊６４０ｃのＹ軸方向における両隣には、レンズ塊６４０ｆが配設されている。
レンズアレイ６１ｇは、Ｘ軸方向及びＹ軸方向において、例えば、４５個のマイクロレンズ６２が並べて配設されて形成されている。
【００７１】
レンズアレイ６１ｇが備えるマイクロレンズ６２ｅによって現出させられる画素集合体７１の虚像は、図９（ｂ）に示した画素虚像７３Ｌのような形状になる。上述したように、マイクロレンズ６２ｅからなるレンズアレイ６１によって現出させられる画素集合体７１の虚像は、例えば、図６（ｃ）に示した画素虚像７３Ｅのような形状になる。
レンズアレイ６１ｇが備えるマイクロレンズ６２ｅの数は、マイクロレンズ６２ｅからなるレンズアレイ６１が備えるマイクロレンズ６２ｅの数の概ね１／４である。したがって、画素虚像７３Ｌは、画素虚像７３Ｅにくらべて概ね１／４の数のレンズ虚像で構成されており、画素虚像７３Ｌは、例えば階調が、画素虚像７３Ｅとは異なっているように視認される。
【００７２】
レンズアレイ６１ｇが備えるマイクロレンズ６２ｆによって現出させられる画素集合体７１の虚像は、図９（ｃ）に示した画素虚像７３Ｍのような形状になる。上述したように、マイクロレンズ６２ｆからなるレンズアレイ６１によって現出させられる画素集合体７１の虚像は、例えば、図６（ｅ）に示した画素虚像７３Ｆのような形状になる。
上述した画素虚像７３Ｌと同様に、画素虚像７３Ｍは、例えば階調が、画素虚像７３Ｆとは異なっているように視認される。
【００７３】
レンズアレイ６１ｇが備えるマイクロレンズ６２ｃによって現出させられる画素集合体７１の虚像は、図９（ｄ）に示した画素虚像７３Ｎのような形状になる。上述したように、マイクロレンズ６２ｃからなるレンズアレイ６１によって現出させられる画素集合体７１の虚像は、例えば、図３（ｂ）に示した画素虚像７３Ｃのような形状になる。
レンズアレイ６１ｇが備えるマイクロレンズ６２ｃの数は、マイクロレンズ６２ｃからなるレンズアレイ６１が備えるマイクロレンズ６２ｃの数の概ね半分である。したがって、画素虚像７３Ｎは、画素虚像７３Ｃにくらべて概ね半分の数のレンズ虚像で構成されており、画素虚像７３Ｎは、例えば階調が、画素虚像７３Ｃとは異なっているように視認される。
【００７４】
レンズアレイ６１ｇによって現出させられる画素集合体７１の虚像は、画素虚像７３Ｌと画素虚像７３Ｍと画素虚像７３Ｎとを含んでいる。図９（ｅ）に示した画素虚像７３Ｐは、画素虚像７３Ｌと画素虚像７３Ｍと画素虚像７３Ｎとを含む形状を有している。レンズアレイ６１ｇによって画素集合体７１の虚像を現出させることによって、画素虚像７３Ｐのような虚像が視認可能に現出させられる。
【００７５】
＜虚像現出装飾体の他の構成例＞
次に、虚像現出装飾体５１とは、備えるレンズアレイ６１の構成などが異なる虚像現出装飾体１５１のレンズアレイ６１の構成及び虚像現出装飾体に現出させられる虚像について、図１０、図１１、及び図１２を参照して説明する。
【００７６】
最初に、虚像現出装飾体１５１のレンズアレイ６１の構成、及び虚像現出装飾体１５１に現出させられる虚像について、図１０を参照して説明する。図１０は、虚像現出装飾体のレンズアレイの構成、及び現出させられる虚像を示す説明図である。図１０（ａ）は、虚像現出装飾体のレンズアレイの構成を示す説明図であり、図１０（ｂ）は、現出させられる虚像の形状を示す平面図である。
【００７７】
図１０（ａ）に示すように、虚像現出装飾体１５１は、４個の虚像領域７３０を備えている。４個の虚像領域７３０のそれぞれを、虚像領域７４１、虚像領域７４２、虚像領域７４３、虚像領域７４４と表記する。虚像領域７４１と虚像領域７４２と、及び虚像領域７４３と虚像領域７４４とが、Ｘ軸方向に並んでおり、虚像領域７４１と虚像領域７４３と、及び虚像領域７４２と虚像領域７４４とが、Ｙ軸方向に並んでいる。
【００７８】
虚像領域７４１には、マイクロレンズ６２ｆで構成されたレンズアレイ６１ｉが配設されている。虚像領域７４２には、マイクロレンズ６２ｅで構成されたレンズアレイ６１ｈが配設されている。虚像領域７４３には、虚像領域７４２と同様に、レンズアレイ６１ｈが配設されている。虚像領域７４４には、虚像領域７４１と同様に、レンズアレイ６１ｉが配設されている。
マイクロレンズ６２ｅとマイクロレンズ６２ｆのいずれか一方が、第１の集光素に相当し、もう一方が、第２の集光素に相当する。マイクロレンズ６２ｅとマイクロレンズ６２ｆのいずれか一方の長手方向の向きが、第１の方向に相当し、もう一方の長手方向の向きが、第２の方向に相当する。レンズアレイ６１ｈとレンズアレイ６１ｉのいずれか一方が、第３の集光素集合体に相当し、もう一方が、第４の集光素集合体に相当する。
【００７９】
虚像現出装飾体１５１は、それぞれの虚像領域７３０に対応する画素集合体７１を備える画素集合体７２１を備えている。画素集合体７２１は、虚像領域７４１、虚像領域７４２、虚像領域７４３、及び虚像領域７４４を包含する範囲に、画素ユニット７２が所定の間隔で二次元的に配列されたものである。画素集合体７２１において画素ユニット７２の配列は一様であり、画素集合体７１の区画は明確ではない。画素集合体７２１における、レンズアレイ６１に対応する部分が、画素集合体７１である。
【００８０】
図１０（ｂ）に示すように、レンズアレイ６１ｉが配設されている虚像領域７４１及び虚像領域７４４には、図６（ｅ）に示した画素虚像７３Ｆが現出させられる。レンズアレイ６１ｈが配設されている虚像領域７４２及び虚像領域７４３には、図６（ｃ）に示した画素虚像７３Ｅが現出させられる。
虚像現出装飾体１５１には、中央部分を２個の画素虚像７３Ｅと２個の画素虚像７３Ｆとで囲んだ形状の虚像が現出させられる。
【００８１】
次に、虚像現出装飾体２５１のレンズアレイ６１の構成、及び虚像現出装飾体２５１に現出させられる虚像について、図１１を参照して説明する。図１１は、虚像現出装飾体のレンズアレイの構成、及び現出させられる虚像を示す説明図である。図１１（ａ）は、虚像現出装飾体のレンズアレイの構成を示す説明図であり、図１１（ｂ）は、現出させられる虚像の形状を示す平面図である。
【００８２】
図１１（ａ）に示すように、虚像現出装飾体２５１は、４個の虚像領域７３０を備えている。４個の虚像領域７３０のそれぞれを、虚像領域７５１、虚像領域７５２、虚像領域７５３、虚像領域７５４と表記する。虚像領域７５１と虚像領域７５２と、及び虚像領域７５３と虚像領域７５４とが、Ｘ軸方向に並んでおり、虚像領域７５１と虚像領域７５３と、及び虚像領域７５２と虚像領域７５４とが、Ｙ軸方向に並んでいる。
虚像領域７５１には、マイクロレンズ６２ｅで構成されたレンズアレイ６１ｈが配設されている。虚像領域７５２には、マイクロレンズ６２ｆで構成されたレンズアレイ６１ｉが配設されている。虚像領域７５３には、虚像領域７５２と同様に、レンズアレイ６１ｉが配設されている。虚像領域７５４には、虚像領域７５１と同様に、レンズアレイ６１ｈが配設されている。レンズアレイ６１ｈとレンズアレイ６１ｉのいずれか一方が、第３の集光素集合体に相当し、もう一方が、第４の集光素集合体に相当する。
虚像現出装飾体２５１は、虚像現出装飾体１５１と同様に、それぞれの虚像領域７３０に対応する画素集合体７１を備える画素集合体７２１を備えている。画素集合体７２１における、レンズアレイ６１に対応する部分が、画素集合体７１である。
【００８３】
図１１（ｂ）に示すように、レンズアレイ６１ｉが配設されている虚像領域７５２及び虚像領域７５３には、図６（ｅ）に示した画素虚像７３Ｆが現出させられる。レンズアレイ６１ｈが配設されている虚像領域７５１及び虚像領域７５４には、図６（ｃ）に示した画素虚像７３Ｅが現出させられる。
虚像現出装飾体２５１には、中央部分から２個の画素虚像７３Ｅと２個の画素虚像７３Ｆとが放射状に配置された虚像が現出させられる。
【００８４】
次に、虚像現出装飾体３５１のレンズアレイ６１の構成、及び虚像現出装飾体３５１に現出させられる虚像について、図１２を参照して説明する。図１２は、虚像現出装飾体のレンズアレイの構成、及び現出させられる虚像を示す説明図である。図１２（ａ）は、虚像現出装飾体のレンズアレイの構成を示す説明図であり、図１２（ｂ）は、現出させられる虚像の形状を示す平面図である。
【００８５】
図１２（ａ）に示すように、虚像現出装飾体３５１は、４個の虚像領域７３０を備えている。４個の虚像領域７３０のそれぞれを、虚像領域７６１、虚像領域７６２、虚像領域７６３、虚像領域７６４と表記する。虚像領域７６１と虚像領域７６２と、及び虚像領域７６３と虚像領域７６４とが、Ｘ軸方向に並んでおり、虚像領域７６１と虚像領域７６３と、及び虚像領域７６２と虚像領域７６４とが、Ｙ軸方向に並んでいる。
虚像領域７６１には、マイクロレンズ６２ｃで構成されたレンズアレイ６１ｃが配設されている。虚像領域７６２には、マイクロレンズ６２ｆで構成されたレンズアレイ６１ｉが配設されている。虚像領域７６３には、虚像領域７６２と同様に、レンズアレイ６１ｉが配設されている。虚像領域７６４には、虚像領域７６１と同様に、レンズアレイ６１ｃが配設されている。
マイクロレンズ６２ｆと、マイクロレンズ６２ｃとのいずれか一方が、第３の集光素に相当し、もう一方が、第４の集光素に相当する。マイクロレンズ６２ｆと、マイクロレンズ６２ｃとのいずれか一方の平面視形状が、第１の長円に相当する。レンズアレイ６１ｃとレンズアレイ６１ｉのいずれか一方が、第５の集光素集合体に相当し、もう一方が、第６の集光素集合体に相当する。
虚像現出装飾体３５１は、虚像現出装飾体１５１と同様に、それぞれの虚像領域７３０に対応する画素集合体７１を備える画素集合体７２１を備えている。画素集合体７２１における、レンズアレイ６１に対応する部分が、画素集合体７１である。
【００８６】
図１２（ｂ）に示すように、レンズアレイ６１ｉが配設されている虚像領域７６２及び虚像領域７６３には、図６（ｅ）に示した画素虚像７３Ｆが現出させられる。レンズアレイ６１ｃが配設されている虚像領域７６１及び虚像領域７６４には、図３（ｂ）に示した画素虚像７３Ｃが現出させられる。
虚像現出装飾体３５１には、２個の画素虚像７３Ｆが斜めの一直線状に並び、一直線状の２個の画素虚像７３Ｆをはさんで画素虚像７３Ｃが１個ずつ配置された虚像が現出させられる。
【００８７】
以下、実施形態による効果を記載する。本実施形態によれば、以下の効果が得られる。
（１）画素集合体７１は、画素ユニット７２が格子状に等ピッチ間隔で並べられて形成されている。レンズアレイ６１は、マイクロレンズ６２の位置が、画素ユニット７２の位置と関係付けられて、格子状に等ピッチ間隔で並べられて形成されている。これにより、レンズアレイ６１によって、画素集合体７１の拡大虚像を現出させることができる。当該虚像を、恰も１個の画素ユニット７２が拡大された像のように視認される形状にすることができる。
【００８８】
（２）マイクロレンズ６２は、平面視で長円形状を有しており、中央から端までの距離が周方向の位置によって異なっている。すなわち、マイクロレンズ６２は、中央を通る光軸を含む断面形状は、断面の端の周方向の位置によって異なっている。これにより、現出させられる虚像の倍率が、断面ごとに異なっている。このため、マイクロレンズ６２によって現出させられる画素ユニット７２の虚像は、画素ユニット７２の平面視形状が変形させられた形状となる。これにより、画素ユニット７２とは形状が異なる虚像を現出させることができる。さらに、マイクロレンズ６２の形状を変えることで、マイクロレンズ６２の形状によって、異なる形状の虚像を現出させることができる。
【００８９】
（３）虚像現出装飾体５１は、虚像領域７３０ａ、虚像領域７３０ｂ、虚像領域７３０ｃ、及び虚像領域７３０ｄを備えている。虚像領域７３０ａ、虚像領域７３０ｂ、虚像領域７３０ｃ、及び虚像領域７３０ｄには、レンズアレイ６１ａ、レンズアレイ６１ｂ、レンズアレイ６１ｃ、又はレンズアレイ６１ｄが形成されている。レンズアレイ６１ａ、レンズアレイ６１ｂ、レンズアレイ６１ｃ、及びレンズアレイ６１ｄは、備えているマイクロレンズ６２が互いに異なっている。これにより、同じ形状の画素ユニット７２を備える画素集合体７１を備える、虚像領域７３０ａ、虚像領域７３０ｂ、虚像領域７３０ｃ、及び虚像領域７３０ｄにおいて、視認される形状が互いに異なる画素虚像７３Ａ、画素虚像７３Ｂ、画素虚像７３Ｃ、又は画素虚像７３Ｄを現出させることができる。
【００９０】
（４）レンズアレイ６１ｄ、レンズアレイ６１ｅ、及びレンズアレイ６１ｆは、長円の長手方向の方向が互いに異なる、マイクロレンズ６２ａとマイクロレンズ６２ｂ、又はマイクロレンズ６２ｅとマイクロレンズ６２ｆを備えている。これにより、レンズアレイ６１ｄによっては、マイクロレンズ６２ａによって現出させられる虚像とマイクロレンズ６２ｂによって現出させられる虚像とからなる画素虚像７３Ｄを現出させることができる。レンズアレイ６１ｅ、及びレンズアレイ６１ｆによっては、マイクロレンズ６２ｅによって現出させられる虚像とマイクロレンズ６２ｆによって現出させられる虚像とからなる画素虚像７３Ｇ又は画素虚像７３Ｋを現出させることができる。また、２種類のマイクロレンズ６２の配置位置によって、画素虚像７３Ｇと画素虚像７３Ｋとのように、互いに異なる画素虚像７３を現出させることができる。
【００９１】
（５）レンズアレイ６１ｇは、長円の長手方向の方向が互いに異なる、マイクロレンズ６２ａとマイクロレンズ６２ｂとに加えて、平面視形状が異なるマイクロレンズ６２ｃを備えている。これにより、レンズアレイ６１ｇによっては、レンズアレイ６１ｇが備えるマイクロレンズ６２ｅによって現出させられる画素虚像７３Ｌとマイクロレンズ６２ｂによって現出させられる画素虚像７３Ｍとマイクロレンズ６２ｃによって現出させられる画素虚像７３Ｎとからなる画素虚像７３Ｐを現出させることができる。
【００９２】
（６）虚像現出装飾体１５１及び虚像現出装飾体２５１は、マイクロレンズ６２ｅで構成されたレンズアレイ６１ｈを備える虚像領域７３０と、マイクロレンズ６２ｆで構成されたレンズアレイ６１ｉを備える虚像領域７３０とを備えている。虚像現出装飾体１５１及び虚像現出装飾体２５１には、画素虚像７３Ｅと画素虚像７３Ｆとを備える虚像を現出させることができる。
また、２種類の虚像領域７３０の配置位置によって、虚像現出装飾体１５１と虚像現出装飾体２５１とのように、互いに異なる虚像を現出させることができる。
【００９３】
（７）虚像現出装飾体３５１、は、マイクロレンズ６２ｃで構成されたレンズアレイ６１ｃを備える虚像領域７３０と、マイクロレンズ６２ｆで構成されたレンズアレイ６１ｉを備える虚像領域７３０とを備えている。虚像現出装飾体３５１には、画素虚像７３の形状が互いに異なる画素虚像７３Ｃと画素虚像７３Ｆとを備える虚像を現出させることができる。
また、２種類の虚像領域７３０の配置位置によって、画素虚像７３Ｃと画素虚像７３Ｆとの配置位置が異なる虚像を現出させることができる。
【００９４】
（８）基材５３の一面には、撥液層５５が形成されており、マイクロレンズ６２が、撥液層５５の上に形成されている。これにより、マイクロレンズ６２の材料を含む機能液を配置してマイクロレンズ６２を形成する際に、基材５３上に配置された機能液が濡れ広がることを抑制して、盛上ったレンズ形状を形成し易くすることができる。
【００９５】
以上、添付図面を参照しながら好適な実施形態について説明したが、好適な実施形態は、前記実施形態に限らない。実施形態は、要旨を逸脱しない範囲内において種々変更を加え得ることは勿論であり、以下の変形例のように実施することもできる。
【００９６】
（変形例１）前記実施形態においては、画素ユニット７２の形状は円形であった。しかし、画素ユニットの形状は円形に限らない。画素ユニットの形状は他の形状であってもよい。また、画素ユニットが単独の像であることも必須ではない。画素ユニットは、複数の像からなるものであってもよい。
【００９７】
（変形例２）前記実施形態においては、虚像現出装飾体１５１や虚像現出装飾体２５１では、長手方向の方向が互いに異なるマイクロレンズ６２ｅ又はマイクロレンズ６２ｆを備えるレンズアレイ６１ｈ及びレンズアレイ６１ｉを備えていた。虚像現出装飾体は、平面視形状が同じであって長手方向の方向が異なる他のマイクロレンズ６２（集光素）を備えるレンズアレイ６１（集光素集合体）をさらに備える構成であってもよい。
【００９８】
（変形例３）前記実施形態においては、レンズアレイ６１ｅやレンズアレイ６１ｆでは、長手方向の方向が互いに異なるマイクロレンズ６２ｅ及びマイクロレンズ６２ｆを備えていた。レンズアレイ６１（集光素集合体）は、平面視形状が同じであって長手方向の方向が異なる他のマイクロレンズ６２（集光素）をさらに備える構成であってもよい。
【００９９】
（変形例４）前記実施形態においては、虚像現出装飾体５１は、平面視形状が互いに異なるマイクロレンズ６２ａ（マイクロレンズ６２ｂ）、又はマイクロレンズ６２ｃを備えるレンズアレイ６１ａ（レンズアレイ６１ｂ）、及びレンズアレイ６１ｃを備えていた。虚像現出装飾体３５１は、平面視形状が互いに異なるマイクロレンズ６２ｃ又はマイクロレンズ６２ｆを備える、レンズアレイ６１ｃ及びレンズアレイ６１ｉを備えていた。しかし、虚像現出装飾体は、平面視形状が互いに異なる他のマイクロレンズ６２（集光素）を備えるレンズアレイ６１（集光素集合体）をさらに備える構成であってもよい。
【０１００】
（変形例５）前記実施形態においては、レンズアレイ６１ｇは、平面視形状が互いに異なるマイクロレンズ６２ｅ（マイクロレンズ６２ｆ）、及びマイクロレンズ６２ｃを備えていた。しかし、レンズアレイ６１（集光素集合体）は、平面視形状が互いに異なる他のマイクロレンズ６２（集光素）をさらに備える構成であってもよい。
【０１０１】
（変形例６）前記実施形態においては、虚像現出装飾体５１、虚像現出装飾体１５１、虚像現出装飾体２５１、及び虚像現出装飾体３５１が備えるレンズアレイ６１は４個であった。しかし、虚像現出装飾体が備えるレンズアレイ６１（集光素集合体）の数は４個に限らない。虚像現出装飾体が備えるレンズアレイ６１（集光素集合体）は、何個であってもよい。
【０１０２】
（変形例７）前記実施形態においては、マイクロレンズ６２の形状に対応させて画素虚像７３の形状を例示したが、実際に現出させられる虚像の形状は様々である。平面視形状が同じであっても、マイクロレンズ６２（集光素）の厚さによって、現出させられる虚像の形状は異なる形状になる。また、マイクロレンズ６２（集光素）を形成するために用いる機能液の基材面に対する接触角によってもマイクロレンズ６２（集光素）の断面形状が異なり、現出させられる虚像の形状は異なる形状になる。
【０１０３】
（変形例８）前記実施形態においては、虚像現出装飾体５１のレンズアレイ６１におけるマイクロレンズ６２の配設ピッチＰ２と、画素集合体７１における画素ユニット７２の配設ピッチＰ１との関係は、ピッチＰ１＜ピッチＰ２であった。また、ピッチＰ２×（レンズアレイ６１におけるマイクロレンズ６２の行数又は列数−１）＝ピッチＰ１×（画素集合体７１における画素ユニット７２の行数又は列数）を満たす関係であった。しかし、レンズアレイ６１（集光素集合体）におけるマイクロレンズ６２（集光素）の配設ピッチＰ２と、画素集合体７１（ユニット集合体）における画素ユニットの配設ピッチＰ１との関係は、ピッチＰ１＞ピッチＰ２であってもよい。ピッチＰ１＞ピッチＰ２の場合、ピッチＰ２×（レンズアレイ６１（集光素集合体）におけるマイクロレンズ６２（集光素）の行数又は列数）＝ピッチＰ１×（画素集合体７１（ユニット集合体）における画素ユニットの行数又は列数−１）となるように、ピッチＰ１、ピッチＰ２、レンズアレイ６１（集光素集合体）におけるマイクロレンズ６２（集光素）の行数及び列数、及び画素集合体７１（ユニット集合体）における画素ユニットの行数及び列数を設定する。
ピッチＰ１＜ピッチＰ２の場合、現出させられる虚像は、画素集合体７１（ユニット集合体）の位置より沈んで（奥側に）見える。ピッチＰ１＞ピッチＰ２の場合、現出させられる虚像は、画素集合体７１（ユニット集合体）の位置より浮かんで（手前側に）見える。
【０１０４】
（変形例９）前記実施形態においては、インクジェット方式の液滴吐出装置１を用いて、虚像現出装飾体５１などが備えるレンズアレイ６１を構成するマイクロレンズ６２を形成することによって、レンズアレイ６１を形成していた。しかし、液滴吐出装置を用いて、マイクロレンズ６２（集光素）の材料を配置することは必須ではない。マイクロレンズ６２（集光素）は、他の印刷方法などを用いて形成してもよい。
【０１０５】
（変形例１０）前記実施形態においては、マイクロレンズ６２ｃは、平面視でほぼ円形を有していた。しかしこれに限らず平面視形状がマイクロレンズ６２ａやマイクロレンズ６２ｂと異なる長円形状や多角形状であってもよい。
【符号の説明】
【０１０６】
１…液滴吐出装置、５１…虚像現出装飾体、５３…基材、５５…撥液層、６１…レンズアレイ、６１ａ，６１ｂ，６１ｃ，６１ｄ，６１ｅ，６１ｆ，６１ｇ，６１ｈ，６１ｉ…レンズアレイ、６２…マイクロレンズ、６２ａ，６２ｂ，６２ｃ，６２ｅ，６２ｆ…マイクロレンズ、７１…画素集合体、７２…画素ユニット、７３…画素虚像、７３Ａ，７３Ｂ，７３Ｃ，７３Ｄ，７３Ｅ，７３Ｆ，７３Ｇ，７３Ｈ，７３Ｊ，７３Ｋ，７３Ｌ，７３Ｍ，７３Ｎ，７３Ｐ…画素虚像、７６…虚像ユニット、１５１，２５１，３５１…虚像現出装飾体、１６２ａ…マイクロレンズ、１７２…画素ユニット、６１１，６１２，６２１，６２２…サブレンズアレイ、６３０ｅ，６３０ｆ…レンズ行、６４０，６４０ｃ，６４０ｅ，６４０ｆ…レンズ塊、７２０，７２１…画素集合体、７３０…虚像領域、７３０ａ，７３０ｂ，７３０ｃ，７３０ｄ…虚像領域、７３１Ｅ，７３１Ｆ，７３２Ｅ，７３２Ｆ…画素虚像、７４１，７４２，７４３，７４４，７５１，７５２，７５３，７５４，７６１，７６２，７６３，７６４…虚像領域。
【図１】
2014030903.tif 000003
【図２】
2014030903.tif 000004
【図３】
2014030903.tif 000005
【図４】
2014030903.tif 000006
【図５】
2014030903.tif 000007
【図６】
2014030903.tif 000008
【図７】
2014030903.tif 000009
【図８】
2014030903.tif 000010
【図９】
2014030903.tif 000011
【図１０】
2014030903.tif 000012
【図１１】
2014030903.tif 000013
【図１２】
2014030903.tif 000014